(57)【要約】【課題】      吹付材の吹き付けによって斜面を安定させると、積雪や寒冷地での凍結にともない吹付材が膨張、収縮をくり返す、すると前記の作用によって吹付材の結合が大幅に低下してひび割れやバサバサになって定着性が損われるので、凍結防止剤を散布することになる。すると凍結剤に持続性がないため凍結その都度行なうことになる。【解決手段】  斜面Ａに斜面安定のための所望の吹付材Ｂを吹き付ける斜面安定法において、上記の吹付材に適宜の方法によって遅延手段を付与した凍結防止剤Ｃを混入して、凍結防止剤に持続性をもたせる。【選択図】    図１
2005036638.tif 000002
【特許請求の範囲】
【請求項１】
斜面に斜面安定のための所望の吹付材を吹き付ける斜面安定法において、上記の吹付材に適宜の方法によって遅延手段を付与した凍結防止剤を混入したことを特徴とする斜面安定法。
【請求項２】
斜面に斜面安定のための所望の吹付材を吹き付ける斜面安定法において、上記吹付材の吹き付け前の上記斜面に適宜の方法によって遅延手段を付与した凍結防止剤を配布したのち、この凍結防止剤を埋没するように吹付材を吹き付けたことを特徴とする斜面安定法。
【請求項３】
斜面に通水性を有する張付材を適宜の張り付け手段を介し張り付け、この張付材に遅延手段の付与凍結防止剤を保持させてあることを特徴とする斜面安定法。
【請求項４】
水溶性のシートの製造過程に遅延手段の付与凍結防止剤を練り込み或は混入し、このシートを斜面に適宜の張り付け手段を介し張り付けたことを特徴とする斜面安定法。
【請求項５】
前記遅延手段が、凍結防止剤をコーティングにより被覆する水溶性の被膜により形成したことを特徴とする請求項１、２、３又は４に記載の斜面安定工法。
【発明の詳細な説明】
【技術分野】
【０００１】
この発明は、オープンカット工法などにより造成された高速道路の法面、ダムの湛水斜面、各種施設などに面する法面或いは崩壊のおそれのある急傾斜地などの斜面安定をはかる斜面安定法に関する。
【背景技術】
【０００２】
上述のような斜面をそのままにしておくと、表土が雨水や地中からしみでる流下水によって流され、或いは崩壊するおそれがあるので、斜面を安定させる工法が必要になる。
【０００３】
従来の斜面安定工法としては、周知（特許文献１）のように施工面（斜面）に吹付材を吹き付けている。
【０００４】
上記の吹付材としては、斜面を安定させるための例えばモルタルやセメントミルク以外に斜面安定と緑化のための緑化基盤材（客土に種子やマンネングサなどの緑化材が混入してあり、しかも保水材や肥料などの混入したもの）がある。
【０００５】
【特許文献１】特許第３０６６３３１号公報
【発明の開示】
【発明が解決しようとする課題】
【０００６】
上記のような吹付材の吹き付けによる斜面安定工において、積雪や寒冷地での凍結にともない吹付材が膨張し、昼間の昇温にともない収縮する。
【０００７】
すると、膨張と収縮との繰り返しによって吹付材の結合力（粘着力）が大幅に低下してひび割れやバサバサになるので、施行面（斜面）に対し遊離（浮上）して定着性が損なわれ、斜面安定や緑化に問題が発生する。
【０００８】
特に吹付材のバサバサにともない流下水により吹付材が流され、吹付材に混入してある肥料などの流失にともない成育に不都合が発生する。
【０００９】
そこで、凍結防止のために、吹付材に凍結防止剤を散布して上述の問題を解消している。
【００１０】
勿論、上述の散布は、凍結その都度行なわれる。
【００１１】
しかしながら、吹付材の表面に散布した凍結剤に持続性がないため、降雨や凍結その都度凍結剤を散布し、しかも散布面積が拡大なため大幅な出費になると共に、均一な散布ができないため、上記の問題が部分的に発生する。
【００１２】
上記の現象は、斜面をそのまま放置しておくと斜面にも発生する。
【００１３】
なお、凍結にともない吹付材や斜面に霜柱が発生すると、上述の問題が起こる。
【００１４】
そこで、この発明は、上述の問題を解消することにある。
【課題を解決するための手段】
【００１５】
上記の課題を解決するために、この発明は、斜面に斜面安定のための所望の吹付材を吹き付ける斜面安定法において、上記の吹付材に適宜の方法によって遅延手段を付与した凍結防止剤を混入した斜面安定法を採用する。
【００１６】
また、斜面に斜面安定のための所望の吹付材を吹き付ける斜面安定法において、上記吹付材の吹き付け前の上記斜面に適宜の方法によって遅延手段を付与した凍結防止剤を配布したのち、この凍結防止剤を埋没するように吹付材を吹き付けた斜面安定法を採用する。
【００１７】
さらに、斜面に通水性を有する張付材を適宜の張り付け手段を介し張り付け、この張付材に遅延手段の付与凍結防止剤を保持させた斜面安定法を採用する。
【００１８】
また、水溶性のシートの製造過程に遅延手段の付与凍結防止剤を練り込み或は混入し、このシートを斜面に適宜の張り付け手段を介し張り付けた斜面安定法を採用することもある。
【００１９】
さらに、上述の各遅延手段が、凍結防止剤を被覆する水溶性の被膜により形成する。
【発明の効果】
【００２０】
以上のように、この発明の斜面安定吹付材の定着法によれば、斜面に吹き付ける吹付材に凍結防止剤を混入し、また、吹付材の吹き付け前の斜面に凍結防止剤を配布して、吹き付ける吹付材に凍結防止剤を埋没するので、降雪や凍結その都度吹付材の表面に凍結防止剤を散布することがない。
【００２１】
また、袋体に凍結防止剤を充填しておくと、散布による飛散によって周囲に塩害などによる悪影響を及ぼしたり環境を損うことがないと共に、降雪や凍結その都度手数がかかり、かつ大きな出費となる問題を生じることがない。
【００２２】
また、凍結防止剤に遅延手段を付与してあるので、徐々に効果を発揮する持続性があり、短時間の解凍でない。
【００２３】
さらに、生育緑化材の育成を大きく妨げることもないと共に、吹付材の粘性が大幅に低下することがなくなって、斜面に対する吹付材の定着が安定する。
【００２４】
また、凍結にともない発生した斜面におよぼす悪影響を防止して、斜面の安定をはかることもできる。
【発明を実施するための最良の形態】
【００２５】
この発明の実施形態を添付図面に基づいて説明する。
【００２６】
この発明の第１の実施形態では、図１から図３に示すように、例えばオープンカット工法などにより造成された高速道路の法面、ダムの湛水斜面、各種施設などに面する法面或いは崩壊のおそれのある急傾斜地などの斜面Ａには、斜面安定のための所望の吹付材Ｂを吹き付ける。
【００２７】
上記吹付材Ｂとしては、例えば緑化基盤材としての黒土などの客土に例えば植物種子と、腐葉土などの土及び肥料、保水剤、土壌改良剤など緑化植物の生育に必要なものを混合したもので、例えば周知のように混合機（装置）によって混合され、混合機からホースに圧送（空気輸送により）しながら、ホースの端末のノズルから斜面Ａに所定の厚みに吹き付ける。
【００２８】
上記の緑化種子としては、牧草、野草、花などの草本植物の種子のみでよいが、樹木などの木本植物の種子を混合或いは単独であってもよい。
【００２９】
また、上記の吹付材Ｂには、吹き付け以前に適宜の方法によって遅延手段を付与した凍結防止剤Ｃが混入してある。
【００３０】
上記遅延手段付の凍結防止剤Ｃとしては、周囲の環境（塩害などによる）に対する影響を考慮して、例えば酢酸カルシウムや酢酸マグネシウムの単独或いは適当な比率で混合したもの、又は尿素などの凍結防止剤１と、この凍結防止剤１を充填（包み込む）水溶性（水分の吸収にともない溶融する）カプセル２（図２に示すように）とで構成し、吹付材Ｂの混合機に供給し、或いはホースのノズルの手前に供給して吹付材Ｂと共に遅延手段付の凍結防止剤Ｃを斜面Ａに吹き付ける。
【００３１】
すると、降雨、降雪、土壌がもっている水分によってまずカプセル２が溶け、そして凍結防止剤１に水分が湿潤し、湿潤による凍結防止剤１の作用によって凍結防止や融雪、融氷の役目をする。
【００３２】
上記の作用が冬期の間毎日吹付材Ｂ内で繰り返されるので、吹付材Ｂに対する凍結防止剤の散布を凍結その都度行なうことがなく、散布にともなう飛散によって周囲の塩害や環境を損うことがない。
【００３３】
なお、カプセル２によって遅延手段を付与したが、遅延性もカプセル２の肉厚や水溶性の材質などで変更することができる。
【００３４】
上記の遅延手段付の凍結防止剤Ｃは、上述のカプセル２内に充填した方式に限定されず、図３に示すように凍結防止剤１の圧密による塊状体にして遅延性を付与することもある。
【００３５】
勿論、圧密（型材に充填後のプレスによる）の度合いも、周囲を密に、内を粗にすることにより水分の湿潤速度を変化させて解凍速度（作用速度）を遅延させることもできる。
【００３６】
要するに、吹付材Ｂ内に埋没させて使用した際の凍結後の溶解にともなう凍結防止剤１への水分吸収による作用効果の解凍を瞬時でなく徐々に効果のある持続性を付与することにある。
【００３７】
この発明の第２の実施形態では、図４に示すように、第１の実施形態と同様の斜面Ａに遅延手段を付与した凍結防止剤Ｃを配布したのち、この凍結防止剤Ｃが埋没するように斜面Ａに吹付材Ｂを吹き付ける。
【００３８】
上記の吹付材Ｂ及び吹付材Ｂの吹き付けは、第１の実施形態と同様につき説明を省略する。
【００３９】
上記の遅延手段を付与した凍結防止剤Ｃとしては、凍結防止剤１を第１の実施形態と同様にカプセルに充填したり、塊状体の凍結防止剤１を圧密したりしたものを斜面Ａに配布したり、図５に示すように多孔性の袋体１１に凍結防止剤１を充填したり、或いは図６に示すように水溶性の袋体１２に充填して用いる以外に、図７に示すように、水溶性のシート１３に凍結防止剤１をシート１３の製造工程中に練り込む以外に付着（接着剤などで）させてもよい。
【００４０】
そして、図４に示すように、袋体１１、１２やシート１３に貫通するように斜面Ａにアンカーピン１４を打ち込んで、斜面Ａに対し袋体１１、１２やシート１３を止めておくとよい。
【００４１】
上記の凍結防止剤１は、第１の実施形態と同様につき説明を省略する。
【００４２】
すると、降雪や寒冷地での凍結にともない昼間の昇温による溶解した水分が吹付材Ｂに浸透し、浸透水分によってカプセル２やシート１３が溶け、そして凍結防止剤１に水分が湿潤し、湿潤による凍結防止剤１の作用によって凍結防止、融雪、融氷の役目をする。
【００４３】
上記の作用が冬期間毎日吹付材Ｂ内で繰り返されるので、吹付材Ｂに対する凍結防止剤の散布を凍結その都度行なうことがなく、散布にともなう飛散によって周囲の塩害や環境を損うことがない。
【００４４】
要するに、吹付材Ｂ内に埋没させて使用した際、吹付材Ｂ及び斜面を凍結させることなく凍結防止剤１への水分吸収による凍結防止効果の解凍を瞬時でなく徐々に効果のある持続性を付与することにある。
【００４５】
この発明の第３の実施形態では、図８から図１０に示すように、斜面Ａに通水性を有する張付材２１を張り付け手段を介し張り付け、この張付材２１には、遅延手段の付与凍結防止剤Ｃが保持させてある。
【００４６】
上記遅延手段の付与凍結防止剤Ｃは、第１の実施形態と同様につき説明を省略する。
【００４７】
上記の通水性を有する張付材２１及び張付材２１による凍結防止剤Ｃの保持手段としては、図８に示すようにネットや布（不織布など）などを用い、その裏面に接着剤（水溶性などの）を介し凍結防止剤Ｃを付着させておくか、図９に示すように斜面Ａに凍結防止剤Ｃを散布したのち、その上に張り付ける張付材２１によって凍結防止剤Ｃを押え込むか、図１０に示すように、張付材２１としてネットや布などによって袋体を形成し、この袋体の張付材に凍結防止剤Ｃを充填することも考えられ、またこの袋体に緑化基盤材や種、肥料なども同時に充填してそれ自体で緑化することも考えられる。
【００４８】
そして、張付材２１の張り付け手段としては、例えばアンカーピン１４を打ち込んで行なう。
【００４９】
すると、第１、第２の実施形態と同様の作用効果がある。
【００５０】
作用効果は、第１、第２の実施形態と同様につき説明を省略する。
【００５１】
この発明の第４の実施形態では、図１１に示すように、斜面Ａに張り付け手段としてのアンカーピン１４を打ち込んで水溶性シート３１を張り付ける。
【００５２】
このシート３１には、第１及び第２の実施形態と同様の遅延手段の付与凍結防止剤Ｃが、シート３１の製造過程において練り込んだり或いは混入しておく。
【００５３】
当然シート３１に緑化基盤材や種、肥料なども同時に混入し、それ自体で緑化することも考えられる。
【００５４】
すると、斜面Ａ側や凍結後の溶融水分がシート３１に付着、吸水されてシート３１が溶け、そして凍結防止剤Ｃに水分が湿潤、浸透すると、凍結剤止剤Ｃが作用する。
【００５５】
なお、シート３１自体を浮き上がらせることなく斜面Ａに密着させてすきまを作ることがないようにしておくとよい。
【００５６】
上記の遅延性の付与凍結防止剤Ｃ及び作用効果は、第１、第２の実施形態と同様につき説明を省略する。
【００５７】
この発明の第５の実施形態では、図１２に示すように、第１、第２、第３及び第４実施形態の凍結防止剤１をコーティングにより水溶性の被膜５１により被覆する。
【００５８】
上記各実施例の遅延手段の水溶性のカプセル２、水溶性の袋体１２、水溶性のシート１３、３１及び水溶性のコーティング（単層又は複層）による被膜５１の材質としては、エチレン酢ビエステル、タルク、ポリエチレン、石膏、モンモリロナイト、ベントナイト、酢酸ビニル、（コロイド性含水）けい酸アルミニウム、大豆油アルキド、マイレン酸変性ロジン、アクリル樹脂、生分解性樹脂などで、適宜選択して使用する。
【００５９】
勿論、材質も上記に限定されず、目的を達成するその他の水溶性、通水性などの効果が期待できるものであってもよい。
【図面の簡単な説明】
【００６０】
【図１】この発明の第１の実施形態を示す縦断側面図
【図２】遅延手段の一例を示す一部切欠正面図
【図３】他の遅延手段を示す一部切欠正面図
【図４】第２の実施形態を示す縦断側面図
【図５】遅延手段の一例を示す斜視図
【図６】遅延手段の他の例を示す斜視図
【図７】遅延手段の他の例を示す斜視図
【図８】第３の実施形態を示す縦断側面図
【図９】斜面に対する凍結防止剤の保持を示す側面図
【図１０】同側面図
【図１１】第４の実施形態を示す縦断側面図
【図１２】第５の実施形態を示す縦断拡大正面図
【符号の説明】
【００６１】
Ａ          斜面
Ｂ          吹付材
Ｃ          遅延手段の付与凍結防止剤
１          凍結防止剤
２          カプセル
１１、１２  袋体
１３        シート
２１        張付材
３１        シート
５１        被膜
【図１】
2005036638.tif 000003
【図２】
2005036638.tif 000004
【図３】
2005036638.tif 000005
【図４】
2005036638.tif 000006
【図５】
2005036638.tif 000007
【図６】
2005036638.tif 000008
【図７】
2005036638.tif 000009
【図８】
2005036638.tif 000010
【図９】
2005036638.tif 000011
【図１０】
2005036638.tif 000012
【図１１】
2005036638.tif 000013
【図１２】
2005036638.tif 000014